(57)【要約】【課題】本発明の課題は、テレビジョン受像機が、携帯電話機が有するコンテンツを実行可能な場合にのみ、携帯電話機からテレビジョン受像機に当該コンテンツを転送することができるコンテンツ転送システムを提供することにある。【解決手段】携帯電話機１の受信手段（ＣＰＵ１４１、受信プログラム、通信部１１）はテレビジョン受像機２に関する所定の機器情報を受信し、判断手段（ＣＰＵ１４１、第１判断プログラム１４３ｂ、第２判断プログラム１４３ｃ）は当該携帯電話機１と無線接続されるテレビジョン受像機２が、当該携帯電話機１が有するコンテンツを実行可能であるか否かを判断する判断し、判断手段により、テレビジョン受像機２がコンテンツを実行可能であると判断された場合、コンテンツ転送手段（ＣＰＵ１４１、コンテンツ転送プログラム１４３ｄ、通信部１１）はコンテンツをテレビジョン受像機２に転送する。【選択図】図２
2009098772.tif 000002
【特許請求の範囲】
【請求項１】
テレビジョン受像機と、当該テレビジョン受像機と無線通信回線を介して接続される移動通信端末装置とを備えるコンテンツ転送システムにおいて、
前記移動通信端末装置は、
前記テレビジョン受像機から、当該テレビジョン受像機に関する所定の機器情報を受信する受信手段と、
前記受信手段により受信された前記所定の機器情報に基づいて、当該移動通信端末装置と無線接続される前記テレビジョン受像機が、当該移動通信端末装置が有するコンテンツを実行可能であるか否かを判断する判断手段と、
前記判断手段により、前記テレビジョン受像機が前記コンテンツを実行可能であると判断された場合、前記コンテンツを前記テレビジョン受像機に転送するコンテンツ転送手段と、
を備え、
前記テレビジョン受像機は、
当該テレビジョン受像機に関する所定の機器情報を記憶する機器情報記憶手段と、
前記機器情報記憶手段に記憶された前記所定の機器情報を前記移動通信端末装置に送信する機器情報送信手段と、
前記コンテンツ転送手段により転送される前記コンテンツを受信するコンテンツ受信手段と、
前記コンテンツ受信手段により受信された前記コンテンツを実行させるコンテンツ実行手段と、
を備えることを特徴とするコンテンツ転送システム。
【請求項２】
前記判断手段は、
前記受信手段により受信された前記所定の機器情報に基づいて、前記移動通信端末装置と無線接続される前記テレビジョン受像機が、前記コンテンツを実行するためのソフトウエアを備えているか否かを判断する第１判断手段と、
前記受信手段により受信された前記所定の機器情報に基づいて、前記移動通信端末装置と無線接続される前記テレビジョン受像機が、前記ソフトウエアを実行するための環境を備えているか否かを判断する第２判断手段と、
を備え、
前記コンテンツ転送手段は、
前記第１判断手段により、前記ソフトウエアを備えていないと判断され、且つ、第２判断手段により、前記ソフトウエアを実行するための環境を備えていると判断された場合、前記コンテンツとともに前記ソフトウエアを前記テレビジョン受像機に転送し、
前記コンテンツ受信手段は、
前記コンテンツ転送手段により転送される前記コンテンツ及び前記ソフトウエアを受信し、
前記コンテンツ実行手段は、
前記コンテンツ受信手段により受信された前記ソフトウエアを組み込んだ上で前記コンテンツを実行させることを特徴とする請求項１に記載のコンテンツ転送システム。
【請求項３】
テレビジョン受像機と、当該テレビジョン受像機と無線通信回線を介して接続される移動通信端末装置とを備えるコンテンツ転送システムにおいて、
前記移動通信端末装置は、
前記テレビジョン受像機から、当該テレビジョン受像機に関する所定の機器情報を受信する受信手段と、
前記受信手段により受信された前記所定の機器情報に基づいて、当該移動通信端末装置と無線接続される前記テレビジョン受像機が、当該移動通信端末装置が有するコンテンツを実行するためのソフトウエアを備えているか否かを判断する第１判断手段と、
前記受信手段により受信された前記所定の機器情報に基づいて、前記移動通信端末装置と無線接続される前記テレビジョン受像機が、前記ソフトウエアを実行するための環境を備えているか否かを判断する第２判断手段と、
前記第１判断手段により、前記ソフトウエアを備えていると判断され、且つ、第２判断手段により、前記ソフトウエアを実行するための環境を備えていると判断された場合、前記コンテンツを前記テレビジョン受像機に転送する一方、前記第１判断手段により、前記ソフトウエアを備えていないと判断され、且つ、第２判断手段により、前記ソフトウエアを実行するための環境を備えていると判断された場合、前記コンテンツとともに前記ソフトウエアを前記テレビジョン受像機に転送するコンテンツ転送手段と、
を備え、
前記テレビジョン受像機は、
当該テレビジョン受像機に関する所定の機器情報を記憶する機器情報記憶手段と、
前記機器情報記憶手段に記憶された前記所定の機器情報を前記移動通信端末装置に送信する機器情報送信手段と、
前記コンテンツ転送手段により転送される前記コンテンツ及び前記ソフトウエアを受信するコンテンツ受信手段と、
前記コンテンツの操作を行う操作手段と、
前記コンテンツ受信手段により前記コンテンツ及び前記ソフトウエアが受信された場合、受信された前記ソフトウエアを組み込んだ上で、受信された前記コンテンツを前記操作手段により実行させるコンテンツ実行手段と、
を備えることを特徴とするコンテンツ転送システム。
【発明の詳細な説明】
【技術分野】
【０００１】
本発明は、コンテンツ転送システムに関する。
【背景技術】
【０００２】
従来、携帯電話機において、携帯小説、携帯マンガ、携帯ゲーム等のコンテンツ提供サービスが行われており、携帯電話機によってダウンロードされた当該コンテンツを携帯電話機で楽しむことができる。
【０００３】
しかし、携帯用コンテンツは、携帯電話機の表示画面でしか見ることが出来ず、当該表示画面は小さいため、コンテンツ内容が見にくいという不都合や、当該表示画面に一度に表示できる文字数等に制限があり、ユーザは、何度も画面のスクロール操作を行う等の必要があり、手間がかかるといった不都合を有していた。
【０００４】
そこで、コンテンツサーバから取得したコンテンツを転送先の液晶テレビが元のコンテンツによって指定された形態でコンテンツ再生を行うことができるように加工するコンテンツ加工部を携帯電話機が備え、加工されたコンテンツを、赤外線通信部を介して液晶テレビへ転送するようにした携帯電話機と液晶テレビとによる通信装置の構成が知られている（特許文献１参照）。
【特許文献１】特開２００７−３６８８６号公報
【発明の開示】
【発明が解決しようとする課題】
【０００５】
しかしながら、上記特許文献１に開示された通信装置では、携帯電話機から液晶テレビにコンテンツを転送する際、当該コンテンツを実行するためのソフトウエアを液晶テレビが備えていない場合や、当該ソフトウエアを実行する環境を備えていない場合であっても、携帯電話機から液晶テレビに当該コンテンツを転送するため、ユーザは、当該コンテンツを実行するためのソフトウエアを液晶テレビに組み込まなければならない場合や、また、全く当該コンテンツを実行することができないという不都合が生じる虞がある。
【０００６】
本発明の課題は、テレビジョン受像機が、携帯電話機が有するコンテンツを実行可能な場合にのみ、携帯電話機からテレビジョン受像機に当該コンテンツを転送することができるコンテンツ転送システムを提供することにある。
【課題を解決するための手段】
【０００７】
上記課題を解決するため、請求項１に記載の発明は、
テレビジョン受像機と、当該テレビジョン受像機と無線通信回線を介して接続される移動通信端末装置とを備えるコンテンツ転送システムにおいて、
前記移動通信端末装置は、
前記テレビジョン受像機から、当該テレビジョン受像機に関する所定の機器情報を受信する受信手段と、
前記受信手段により受信された前記所定の機器情報に基づいて、当該移動通信端末装置と無線接続される前記テレビジョン受像機が、当該移動通信端末装置が有するコンテンツを実行可能であるか否かを判断する判断手段と、
前記判断手段により、前記テレビジョン受像機が前記コンテンツを実行可能であると判断された場合、前記コンテンツを前記テレビジョン受像機に転送するコンテンツ転送手段と、
を備え、
前記テレビジョン受像機は、
当該テレビジョン受像機に関する所定の機器情報を記憶する機器情報記憶手段と、
前記機器情報記憶手段に記憶された前記所定の機器情報を前記移動通信端末装置に送信する機器情報送信手段と、
前記コンテンツ転送手段により転送される前記コンテンツを受信するコンテンツ受信手段と、
前記コンテンツ受信手段により受信された前記コンテンツを実行させるコンテンツ実行手段と、
を備えることを特徴とする。
【０００８】
ここで、「転送」とは、移動通信端末装置がコンテンツサーバ等から取得したコンテンツをテレビジョン受像機に転送する場合に限らず、当該移動通信端末装置が当初より有していたコンテンツをテレビジョン受像機に送信する場合を含む。
【０００９】
請求項２に記載の発明は、
請求項１に記載のコンテンツ転送システムにおいて、
前記判断手段は、
前記受信手段により受信された前記所定の機器情報に基づいて、前記移動通信端末装置と無線接続される前記テレビジョン受像機が、前記コンテンツを実行するためのソフトウエアを備えているか否かを判断する第１判断手段と、
前記受信手段により受信された前記所定の機器情報に基づいて、前記移動通信端末装置と無線接続される前記テレビジョン受像機が、前記ソフトウエアを実行するための環境を備えているか否かを判断する第２判断手段と、
を備え、
前記コンテンツ転送手段は、
前記第１判断手段により、前記ソフトウエアを備えていないと判断され、且つ、第２判断手段により、前記ソフトウエアを実行するための環境を備えていると判断された場合、前記コンテンツとともに前記ソフトウエアを前記テレビジョン受像機に転送し、
前記コンテンツ受信手段は、
前記コンテンツ転送手段により転送される前記コンテンツ及び前記ソフトウエアを受信し、
前記コンテンツ実行手段は、
前記コンテンツ受信手段により受信された前記ソフトウエアを組み込んだ上で前記コンテンツを実行させることを特徴とする。
【００１０】
請求項３に記載の発明は、
テレビジョン受像機と、当該テレビジョン受像機と無線通信回線を介して接続される移動通信端末装置とを備えるコンテンツ転送システムにおいて、
前記移動通信端末装置は、
前記テレビジョン受像機から、当該テレビジョン受像機に関する所定の機器情報を受信する受信手段と、
前記受信手段により受信された前記所定の機器情報に基づいて、当該移動通信端末装置と無線接続される前記テレビジョン受像機が、当該移動通信端末装置が有するコンテンツを実行するためのソフトウエアを備えているか否かを判断する第１判断手段と、
前記受信手段により受信された前記所定の機器情報に基づいて、前記移動通信端末装置と無線接続される前記テレビジョン受像機が、前記ソフトウエアを実行するための環境を備えているか否かを判断する第２判断手段と、
前記第１判断手段により、前記ソフトウエアを備えていると判断され、且つ、第２判断手段により、前記ソフトウエアを実行するための環境を備えていると判断された場合、前記コンテンツを前記テレビジョン受像機に転送する一方、前記第１判断手段により、前記ソフトウエアを備えていないと判断され、且つ、第２判断手段により、前記ソフトウエアを実行するための環境を備えていると判断された場合、前記コンテンツとともに前記ソフトウエアを前記テレビジョン受像機に転送するコンテンツ転送手段と、
を備え、
前記テレビジョン受像機は、
当該テレビジョン受像機に関する所定の機器情報を記憶する機器情報記憶手段と、
前記機器情報記憶手段に記憶された前記所定の機器情報を前記移動通信端末装置に送信する機器情報送信手段と、
前記コンテンツ転送手段により転送される前記コンテンツ及び前記ソフトウエアを受信するコンテンツ受信手段と、
前記コンテンツの操作を行う操作手段と、
前記コンテンツ受信手段により前記コンテンツ及び前記ソフトウエアが受信された場合、受信された前記ソフトウエアを組み込んだ上で、受信された前記コンテンツを前記操作手段により実行させるコンテンツ実行手段と、
を備えることを特徴とする。
【発明の効果】
【００１１】
本発明によれば、移動通信端末装置は、受信手段によって、テレビジョン受像機から、当該テレビジョン受像機に関する所定の機器情報を受信することができ、判断手段によって、受信手段により受信された所定の機器情報に基づいて、当該移動通信端末装置と無線接続されるテレビジョン受像機が、当該移動通信端末装置が有するコンテンツを実行可能であるか否かを判断することができ、判断手段により、テレビジョン受像機がコンテンツを実行可能であると判断された場合、コンテンツ転送手段によって、コンテンツをテレビジョン受像機に転送することができる。
そして、テレビジョン受像機は、機器情報記憶手段によって、当該テレビジョン受像機に関する所定の機器情報を記憶することができ、機器情報送信手段によって、機器情報記憶手段に記憶された所定の機器情報を移動通信端末装置に送信することができ、コンテンツ受信手段によって、コンテンツ転送手段により転送されるコンテンツを受信することができ、コンテンツ実行手段によって、コンテンツ受信手段により受信されたコンテンツを実行させることができる。
従って、テレビジョン受像機が、携帯電話機が有するコンテンツを実行可能な場合にのみ、携帯電話機からテレビジョン受像機に当該コンテンツを転送することができることとなり、ユーザにとって使い勝手が良い。
【発明を実施するための最良の形態】
【００１２】
以下、図を参照して、本発明にかかるコンテンツ転送システムの最良の形態を詳細に説明する。なお、発明の範囲は、図示例に限定されない。
【００１３】
まず、コンテンツ転送システム１００の構成について、図１を参照して説明する。
コンテンツ転送システム１００は、例えば、図１に示すように、移動通信端末装置としての携帯電話機１と、テレビジョン受像機２と、を備えている。また、携帯電話機１とテレビジョン受像機２とは、所定の規格に準じたネットワークＮを介して、互いに無線通信を行うことができるようになっている。
【００１４】
ネットワークＮは、例えば、Bluetooth規格やIEEE（Institute of Electrical and Electronic Engineers）802.11規格に準じた無線ＬＡＮ（Local Area Network）などのネットワークである。
【００１５】
（携帯電話機の構成）
ネットワークＮを介してテレビジョン受像機２に無線通信接続される携帯電話機１の構成について、図２を参照しながら説明する。
携帯電話機１は、例えば、通信部１１と、表示部１２と、操作部１３と、制御部１４と、等を備えている。各部は、バス１０によって接続されている。
【００１６】
通信部１１は、例えば、ネットワークＮ上の各種機器（例えば、テレビジョン受像機２等）と双方向通信を行って、当該各種機器との間で各種情報の送受信を行う。
【００１７】
具体的には、通信部１１は、例えば、受信手段として、テレビジョン受像機２から、当該テレビジョン受像機２に関する所定の機器情報を受信する。また、通信部１１は、コンテンツ転送手段として、携帯電話機１が有するコンテンツ情報をテレビジョン受像機２に転送する。
【００１８】
表示部１２は、例えば、液晶表示機器等であり、制御部１４から入力される制御信号に従って、所定の映像データに基づく映像を表示する。
【００１９】
操作部１３は、例えば、携帯電話機１の外面に備えられた操作ボタン等から構成されており、例えば、ユーザにより操作されると、当該操作に伴う各種信号を制御部１４に出力する。
【００２０】
制御部１４は、例えば、図２に示すように、ＣＰＵ１４１と、ＲＡＭ１４２と、記憶部１４３と、等を備えている。
【００２１】
ＣＰＵ１４１は、記憶部に記憶された携帯電話機１用の各種プログラムに従って各種の制御動作を行う。
【００２２】
ＲＡＭ１４２は、ＣＰＵ１４１によって実行される処理プログラムなどを展開するためのプログラム格納領域や、入力データや上記処理プログラムが実行される際に生じる処理結果などを格納するデータ格納領域などを備える。
【００２３】
記憶部１４３は、携帯電話機１で実行可能なシステムプログラム、当該システムプログラムで実行可能な各種処理プログラム、これら各種処理プログラムを実行する際に使用されるデータ、ＣＰＵ１４１によって演算処理された処理結果のデータなどを記憶する。
なお、プログラムは、コンピュータが読み取り可能なプログラムコードの形で記憶部１４３に記憶されている。
【００２４】
具体的には、記憶部１４３は、例えば、図２に示すように、受信プログラム１４３ａ、第１判断プログラム１４３ｂ、第２判断プログラム１４３ｃ、コンテンツ転送プログラム１４３ｄと、等を記憶している。
【００２５】
受信プログラム１４３ａは、ＣＰＵ１４１に、テレビジョン受像機２から、当該テレビジョン受像機２に関する所定の機器情報を受信する機能を実現させるプログラムである。
具体的には、ＣＰＵ１４１は、例えば、携帯電話機１とテレビジョン受像機２とが、無線通信接続された場合、受信プログラム１４３ａを実行することによって、テレビジョン受像機２に関する所定の機器情報として、携帯電話機１が有するコンテンツ（例えば、Ｊａｖａアプレット）を実行するためのブラウザソフトを備えているか否か、及び、当該ブラウザソフトを実行するための環境（例えば，ＯＳ；Operating System）を備えているか否かについての機器情報を、テレビジョン受像機２から受信する。
ＣＰＵ１４１は、かかる受信プログラム１４３ａを実行することにより、受信手段として機能する。
【００２６】
第１判断プログラム１４３ｂは、ＣＰＵ１４１に、通信部１１により受信された所定の機器情報に基づいて、当該携帯電話機１と無線接続されるテレビジョン受像機２が、当該携帯電話機１が有するコンテンツを実行するためのソフトウエアを備えているか否かを判断する機能を実現させるプログラムである。
具体的には、例えば、携帯電話機１が、インターネットを介してＪａｖａ（登録商標）を用いたコンテンツ（Ｊａｖａアプレット）を有している場合において、ＣＰＵ１４１は、第１判断プログラム１４３ｂを実行することによって、通信部１１により受信された所定の機器情報に基づいて、当該携帯電話機１と無線接続されるテレビジョン受像機２が、当該携帯電話機１が有するＪａｖａアプレットを実行するためのブラウザソフトを備えているか否かを判断する。
ＣＰＵ１４１は、かかる第１判断プログラム１４３ｂを実行することにより、第１判断手段として機能する。
【００２７】
第２判断プログラム１４３ｃは、ＣＰＵ１４１に、通信部１１により受信された所定の機器情報に基づいて、携帯電話機１と無線接続されるテレビジョン受像機２が、ソフトウエアを実行するための環境を備えているか否かを判断するプログラムである。
具体的には、ＣＰＵ１４１は、第２判断プログラム１４３ｃを実行することによって、通信部１１により受信された所定の機器情報に基づいて、当該携帯電話機１と無線接続されるテレビジョン受像機２が、当該携帯電話機１が有するブラウザソフトを実行させるためのＯＳ（Operating System）を備えているか否かを判断する。
ＣＰＵ１４１は、かかる第２判断プログラム１４３ｃを実行することにより、第２判断手段として機能する。
【００２８】
コンテンツ転送プログラム１４３ｄは、ＣＰＵ１４１に、携帯電話機１が有するコンテンツ情報をテレビジョン受像機２に転送する機能を実現させるプログラムである。
具体的には、第１判断プログラム１４３ｂの実行により、ブラウザソフトを備えていると判断され、且つ、第２判断プログラムの実行により、ブラウザソフトを実行するためのＯＳを備えていると判断された場合、ＣＰＵ１４１は、コンテンツ転送プログラム１４３ｄを実行することによって、Ｊａｖａアプレットをテレビジョン受像機２に転送する一方、第１判断プログラムの実行により、ブラウザソフトを備えていないと判断され、且つ、第２判断プログラム１４３ｃの実行により、ＯＳを備えていると判断された場合、ＣＰＵ１４１は、コンテンツ転送プログラム１４３ｄを実行することによって、Ｊａｖａアプレットとともにブラウザソフトをテレビジョン受像機２に転送する。
なお、携帯電話機１が、ブラウザソフト等のソフトウエアをテレビジョン受像機２に転送できない場合には、当該ソフトウエアをダウンロードするためのＵＲＬ（Uniform Resource Locators）情報をテレビジョン受像機２に転送し、当該ＵＲＬ情報に基づき、テレビジョン受像機２が、ソフトウエアをダウンロードしても良い。
ＣＰＵ１４１は、かかるコンテンツ転送プログラム１４３ｄを実行することにより、コンテンツ転送手段として機能する。
【００２９】
（テレビジョン受像機の構成）
テレビジョン受像機２は、例えば、図３に示すように、アンテナ２１ａを有するチューナ２１と、復調器２２と、デコーダ２３と、ＯＳＤ回路２６と、通信部２７と、操作部２８と、制御部２９と、等を備えて構成される。各部は、バス２０によって接続されている。
また、テレビジョン受像機２は、デコーダ２３と接続する音声出力部２４や映像表示部２５を備えている。
【００３０】
チューナ２１は、制御部２９から入力される制御信号に従って、テレビジョン放送波からＴＶ放送信号を受信する。
具体的には、チューナ２１は、例えば、アンテナ２１ａにより受信されたテレビジョン放送波（例えば、デジタル方式のテレビジョン放送波）から、ユーザ所望の番組のチャンネルに対応する周波数帯域に存在するＴＶ放送信号を受信し、そして、当該受信したＴＶ放送信号を変調して中間周波信号を生成し、復調器２２に出力する。
【００３１】
復調器２２は、制御部２９から入力される制御信号に従って、例えば、チューナ２１から入力された中間周波信号に対してデジタル復調や誤り訂正などの処理を施して、ストリーム（例えば、トランスポートストリーム）をデコーダ２３に出力する。
【００３２】
デコーダ２３は、制御部３１から入力される制御信号に従って、例えば、復調器２２から入力されたストリームを音声データや映像データなどに分離し、当該音声データや当該映像データなどをデコードして、チューナ２１により受信されたＴＶ放送信号に基づく放送情報を生成する。
そして、デコーダ２３は、例えば、放送情報のうちの音声データを音声出力部２４に出力するとともに、放送情報のうちの映像データを映像表示部２５に出力する。
【００３３】
音声出力部２４は、例えば、スピーカ機器等であり、デコーダ２３から入力された音声データに基づく音声を出力する。
【００３４】
映像表示部２５は、例えば、液晶表示機器等であり、デコーダ２３から入力された映像データに基づく映像を表示したり、或いはＯＳＤ回路２６によりＯＳＤ表示信号が合成された、デコーダ２３から入力された映像データに基づく映像を表示する。
【００３５】
ＯＳＤ回路２６は、制御部２９から入力される制御信号に従って、例えば、映像表示部２５に所定のオンスクリーンディスプレイ（ＯＳＤ）表示をさせるためのＯＳＤ表示信号を、デコーダ２３から映像表示部２５に入力される映像データに合成する。
【００３６】
通信部２７は、例えば、ネットワークＮ上の各種機器（例えば、携帯電話機１等）と双方向通信を行って、当該各種機器との間で各種情報の送受信を行う。
【００３７】
具体的には、通信部２７は、例えば、コンテンツ受信手段として、携帯電話機１により送信されたコンテンツ情報を受信して、制御部２９に出力する。
【００３８】
操作部２８は、例えば、テレビジョン受像機２の外面に備えられた操作ボタン（図示省略）や、テレビジョン受像機２用のリモートコントローラ２８ａ及び当該リモートコントローラ（以下、リモコンと言う。）２８ａと通信可能なリモコン受信部２８ｂなどから構成されており、例えば、ユーザにより操作されると、当該操作に伴う各種信号を制御部２９に出力する。
【００３９】
具体的には、操作部２８は、例えば、コンテンツ実行プログラム２９３ｂ３（後述）が実行され際に、当該実行されたコンテンツの内容に応じた操作がなされる。
【００４０】
制御部２９は、例えば、図３に示すように、ＣＰＵ（Central Processing Unit）２９１と、ＲＡＭ（Random Access Memory）２９２と、記憶部２９３と、等を備えている。
【００４１】
ＣＰＵ２９１は、記憶部２９３に記憶されたテレビジョン受像機２用の各種処理プログラムに従って各種の制御動作を行う。
【００４２】
ＲＡＭ２９２は、ＣＰＵ２９１によって実行される処理プログラムなどを展開するためのプログラム格納領域や、入力データや上記処理プログラムが実行される際に生じる処理結果などを格納するデータ格納領域などを備える。
【００４３】
記憶部２９３は、テレビジョン受像機２で実行可能なシステムプログラム、当該システムプログラムで実行可能な各種処理プログラム、これら各種処理プログラムを実行する際に使用されるデータ、ＣＰＵ２９１によって演算処理された処理結果のデータなどを記憶する。なお、プログラムは、コンピュータが読み取り可能なプログラムコードの形で記憶部２９３に記憶されている。
【００４４】
具体的には、記憶部２９３は、例えば、図３に示すように、機器情報データテーブル２９３ａ１と、機器情報送信プログラム２９３ｂ１と、コンテンツ受信プログラム２９３ｂ２と、コンテンツ実行プログラム２９３ｂ３と、等を記憶している。
【００４５】
機器情報データテーブル２９３ａ１は、例えば、テレビジョン受像機２に関する所定の機器情報として、携帯電話機１が有するコンテンツ（例えば、Ｊａｖａアプレット）を実行するためのブラウザソフトを備えているか否か、及び、当該ブラウザソフトを実行するための環境（例えば，ＯＳ；Operating System）を備えているか否かについての機器情報等を記憶する。
【００４６】
機器情報送信プログラム２９３ｂ１は、ＣＰＵ２９１に、機器情報データテーブル２９３ａ１に記憶された所定の機器情報を携帯電話機１に送信する機能を実現させるプログラムである。
具体的には、例えば、携帯電話機１が有する認証鍵とテレビジョン受像機２の記憶部２９３に記憶された認証鍵との照合に基づき、ＣＰＵ２９１は、携帯電話機１が無線通信接続可能であるか否かを判断し、無線通信接続可能であると判断した場合、ＣＰＵ２９１は、機器情報送信プログラム２９３ｂ１を実行することによって、2.45GHz （ギガヘルツ）帯の電波を利用し、約１Mbps（メガビット／秒）の速度のBluetooth規格による通信により、機器情報データテーブル２９３ａ１に記憶された所定の機器情報を携帯電話機１に送信する。
ＣＰＵ２９１は、かかる機器情報送信プログラム２９３ｂ１を実行することによって、機器情報送信手段として機能する。
【００４７】
コンテンツ受信プログラム２９３ｂ２は、ＣＰＵ２９１に、携帯電話機１のコンテンツ転送プログラム１４３ｄの実行により転送されたコンテンツ及びソフトウエアを受信する機能を実現させるプログラムである。
具体的には、例えば、ＣＰＵ２９１は、コンテンツ受信プログラム２９３ｂ１を実行することによって、携帯電話機１が有するＪａｖａアプレット及び当該Ｊａｖａアプレットを実行するためのブラウザソフトを受信する。
ＣＰＵ２９１は、かかるコンテンツ受信プログラム２９３ｂ２を実行することによって、コンテンツ受信手段として機能する。
【００４８】
コンテンツ実行プログラム２９３ｂ３は、ＣＰＵ２９１に、通信部２７により受信されたコンテンツを実行させる機能を実現させるプログラムである。
具体的には、例えば、コンテンツ受信プログラム２９３ｂ２を実行することによって、携帯電話機１が有するＪａｖａアプレット及び当該Ｊａｖａアプレットを実行するためのブラウザソフトを受信した場合、ＣＰＵ２９１は、コンテンツ実行プログラム２９３ｂ２を実行することによって、受信されたブラウザソフトを制御部２９に組み込んだ上で、Ｊａｖａアプレットを実行させる。また、Ｊａｖａアプレットの実行は、例えば、リモコン２８ａの操作により行う。
ＣＰＵ２９１は、かかるコンテンツ実行プログラム２９３ｂ３を実行することによって、コンテンツ実行手段として機能する。
【００４９】
＜コンテンツ転送システムによる処理＞
次に、コンテンツ転送システム１００による処理について説明する。
なお、携帯電話機１からテレビジョン受像機２へ転送されるコンテンツ情報が、携帯小説や携帯マンガのような映像情報や文字情報により構成されるコンテンツ情報を転送する場合と、携帯ゲームのようなプログラム情報により構成されるコンテンツ情報を転送する場合とを場合を分けて説明する。
【００５０】
まず、携帯電話機１からテレビジョン受像機２へ転送されるコンテンツ情報が、携帯小説や携帯マンガのような映像情報や文字情報により構成されるコンテンツ情報を転送する場合の携帯電話機１の処理について、図６を用いて説明する。
【００５１】
ステップＳ１において、例えば、図４に示すように、家において、携帯電話機１が備えるＣＰＵ１４１は、Bluetoothを搭載したテレビジョン受像機２であって、且つ、電源が「ＯＮ」状態にあるテレビジョン受像機２を探索する。
【００５２】
次いで、ステップＳ２において、ＣＰＵ１４１が、電源が「ＯＮ」状態であり、無線通信接続可能であるテレビジョン受像機２があると判断した場合（ステップＳ２；Ｙｅｓ）、ステップＳ３へ移行する。一方、ステップＳ２において、ＣＰＵ１４１が、電源が「ＯＮ」状態であり、無線通信接続可能であるテレビジョン受像機２がないと判断した場合（ステップＳ２；Ｎｏ）、本処理を終了する。
【００５３】
次いで、ステップＳ３において、ＣＰＵ１４１は、例えば、図５に示すように、無線通信接続可能であるとして探索されたテレビジョン受像機２の一覧を表示部１２に表示させる。
なお、図４に示すように、電源が「ＯＮ」状態であり、無線通信接続可能であるテレビジョン受像機２ａの機種名及び表示サイズは、「ＡＡＡ ３２インチＴＶ」、テレビジョン受像機２ｂの機種名及び表示サイズは、「ＢＢＢ １４インチＴＶ」、そして、テレビジョン受像機３、４は、無線通信接続をすることができない通常のテレビジョン受像機である。
【００５４】
次いで、ステップＳ４において、ＣＰＵ１４１が、操作部１３の操作により、無線通信接続可能であるとして探索され、表示部１２に表示されたテレビジョン受像機２の一覧のうち、一のテレビジョン受像機２が選択されたか否かを判断し、一のテレビジョン受像機２が選択されたと判断した場合（ステップＳ４；Ｙｅｓ）、ステップＳ５へ進む。一方、ステップＳ４において、一のテレビジョン受像機２が選択されていないと判断した場合（ステップＳ４；Ｎｏ）、本処理を繰り返す。
【００５５】
次いで、ステップＳ５において、ＣＰＵ１４１は、操作部１３により選択された一のテレビジョン受像機２と無線通信接続するためのペアリング動作を行う。
【００５６】
次いで、ステップＳ６において、ＣＰＵ１４１が、ペアリング動作が完了したか否かを判断し、ペアリング動作が完了したと判断した場合（ステップＳ６；Ｙｅｓ）、ステップＳ７へ進む。一方、ステップＳ６において、ペアリング動作が完了していないと判断した場合（ステップＳ６；Ｎｏ）、ステップＳ５へ戻る。
【００５７】
次いで、ステップＳ７において、テレビジョン受像機２との無線通信接続がなされた場合、ＣＰＵ１４１は、携帯電話機１が有するコンテンツ情報をテレビジョン受像機２に転送して、本処理を終了する。
【００５８】
次に、携帯電話機１からテレビジョン受像機２へ転送されるコンテンツ情報が、携帯小説や携帯マンガのような映像情報や文字情報により構成されるコンテンツ情報を転送する場合のテレビジョン受像機２の処理について、図７を用いて説明する。
【００５９】
まず、ステップＳ１１において、携帯電話機１からテレビジョン受像機２へ、アクセスがあったか否かについて、ＣＰＵ２９１によって判断し、アクセスがあったと判断した場合（ステップＳ１１；Ｙｅｓ）、ステップＳ１２へ進む。一方、ステップＳ１１において、アクセスがないと判断した場合（ステップＳ１１；Ｎｏ）、本処理を終了する。
【００６０】
次いで、ステップＳ１２において、ＣＰＵ２９１は、ユーザが、操作部１３により入力した認証鍵とテレビジョン受像機２の記憶部２９３に記憶された認証鍵との照合に基づき、携帯電話機１が無線通信接続可能であるか否かを判断し、無線通信接続可能であると判断した場合（ステップＳ１２；Ｙｅｓ）、ステップＳ１３へ進む。一方、ステップＳ１２において、無線通信接続可能でないと判断した場合（ステップＳ１２；Ｎｏ）、本処理を終了する。
【００６１】
次いで、ステップＳ１３において、ＣＰＵ２９１は、コンテンツ受信プログラム２９３ｂ２を実行することによって、携帯電話機１から転送されたコンテンツ情報を通信部２７によって受信する。
【００６２】
次いで、ステップＳ１４において、ＣＰＵ２９１は、通信部２７により受信されたコンテンツ情報に基づくコンテンツ表示サイズを、テレビジョン受像機２の記憶部２９３に記憶されたコンテンツ情報の解像度及びテレビジョン受像機２の表示サイズに基づく表示倍率により、所定の表示サイズに変換する。
【００６３】
次いで、ステップＳ１５において、ＣＰＵ２９１は、通信部２７により受信されたコンテンツ情報に基づくコンテンツ表示サイズを、テレビジョン受像機２の記憶部２９３に記憶されたコンテンツ情報の解像度及びテレビジョン受像機２の表示サイズに基づく表示倍率により、所定の表示サイズに変換した上で、当該コンテンツを映像表示部２５に表示する。
【００６４】
次いで、ステップＳ１６において、ＣＰＵ２９１は、コンテンツ実行プログラム２９３ｂ３を実行することによって、例えば、通信部２７により受信されたコンテンツ情報に基づくコンテンツである携帯小説を、リモコン２８ａの十字キー（図示省略）により、スクロール操作させ、当該コンテンツを実行して、本処理を終了する。
【００６５】
次に、携帯電話機１からテレビジョン受像機２へ転送されるコンテンツ情報が、携帯ゲームのようなプログラム情報により構成されるコンテンツ情報を転送する場合の携帯電話機１の処理について、図８を用いて説明する。
なお、ステップＳ２１〜ステップＳ２６は、携帯小説等のコンテンツ情報を転送する場合と同様の処理であるため、省略する。
【００６６】
ステップＳ２７において、ＣＰＵ１４１は、受信プログラム１４３ａを実行することによって、無線通信接続するテレビジョン受像機２から、当該テレビジョン受像機２が、携帯ゲームのようなプログラム情報により構成されるコンテンツ情報を実行するためのソフトウエアを備えているか、及び、当該ソフトウエアを実行可能な環境を備えているか否かについての機器情報を受信する。
【００６７】
次いで、ステップＳ２８において、ＣＰＵ１４１は、第２判断プログラム１４３ｃを実行することによって、テレビジョン受像機２が当該ソフトウエアを実行可能な環境を備えていると判断した場合（ステップＳ２８；Ｙｅｓ）、ステップＳ２９へ移行する。一方、ステップＳ２８において、ＣＰＵ１４１は、第２判断プログラム１４３ｃを実行することによって、テレビジョン受像機２が当該ソフトウエアを実行可能な環境を備えていないと判断した場合（ステップＳ２８；Ｎｏ）、本処理を終了する。
【００６８】
次いで、ステップＳ２９において、ＣＰＵ１４１は、第１判断プログラム１４３ｂを実行することによって、テレビジョン受像機２が当該ソフトウエアを備えていると判断した場合（ステップＳ２９；Ｙｅｓ）、ステップＳ３１へ移行する。一方、ステップＳ２９において、ＣＰＵ１４１は、第１判断プログラム１４３ｂを実行することによって、テレビジョン受像機２が当該ソフトウエアを備えていないと判断した場合（ステップＳ２９；Ｎｏ）、ステップＳ３０へ移行する。
【００６９】
次いで、ステップＳ３０において、ＣＰＵ１４１は、コンテンツ転送プログラム１４３ｄを実行することによって、当該ソフトウエアをテレビジョン受像機２へ転送し、ステップＳ３１へ移行する。
【００７０】
次いで、ステップＳ３１において、ＣＰＵ１４１は、コンテンツ転送プログラム１４３ｄを実行することによって、当該コンテンツ情報をテレビジョン受像機２へ転送し、本処理を終了する。
【００７１】
次に、携帯電話機１からテレビジョン受像機２へ転送されるコンテンツ情報が、携帯ゲームのようなプログラム情報により構成されるコンテンツ情報を転送する場合のテレビジョン受像機２の処理について、図９を用いて説明する。
なお、ステップＳ４１〜ステップＳ４２及びステップＳ４５〜ステップＳ４７は、携帯小説等のコンテンツ情報を転送する場合と同様の処理であるため、省略する。
【００７２】
ステップＳ４２において、ＣＰＵ２９１は、携帯電話機１が無線通信接続可能であるか否かを判断し、無線通信接続可能であると判断した場合（ステップＳ４２；Ｙｅｓ）、ステップＳ４３へ進み、ＣＰＵ２９１は、機器情報送信プログラム２９３ｂ１を実行することによって、機器情報データテーブル２９３ａ２に記憶された、携帯電話機１が有するコンテンツ（例えば、Ｊａｖａアプレット）を実行するためのブラウザソフトを備えているか否か、及び、当該ブラウザソフトを実行するための環境（例えば，ＯＳ；Operating System）を備えているか否かについての機器情報等を携帯電話機１に送信する。
【００７３】
次いで、ステップＳ４３において、ＣＰＵ２９１は、コンテンツ受信プログラム２９３ｂ２を実行することによって、携帯電話機１から転送されたコンテンツ情報を通信部２７によって受信する。また、テレビジョン受像機２が、携帯電話機１が有するコンテンツ（例えば、Ｊａｖａアプレット）を実行するためのブラウザソフトを備えていない場合には、コンテンツ情報とともに、当該ブラウザソフトを受信する。そして、当該ブラウザソフトを受信した場合には、ステップＳ４７において、ＣＰＵ２９１は、コンテンツ実行プログラム２９３ｂ３を実行することによって、当該ブラウザソフトを実行した上で、コンテンツ情報を実行する。
【００７４】
以上説明した本発明にかかるコンテンツ転送システム１００によれば、携帯電話機１のＣＰＵ１４１は、受信プログラム１４３ａを実行することによって、テレビジョン受像機２から、当該テレビジョン受像機２に関する所定の機器情報を受信することができ、第１判断プログラム１４３ｂを実行することによって、通信部１１により受信された所定の機器情報に基づいて、当該携帯電話機１と無線接続されるテレビジョン受像機２が、当該携帯電話機１が有するコンテンツを実行するためのソフトウエアを備えているか否かを判断することができ、第２判断プログラム１４３ｃを実行することによって、通信部１１により受信された所定の機器情報に基づいて、携帯電話機１と無線接続されるテレビジョン受像機２が、ソフトウエアを実行するための環境を備えているか否かを判断することができ、第１判断プログラム１４３ｂの実行により、ソフトウエアを備えていると判断され、且つ、第２判断プログラム１４３ｃの実行により、ソフトウエアを実行するための環境を備えていると判断された場合、ＣＰＵ１４１は、コンテンツ転送プログラム１４３ｄを実行することによって、コンテンツをテレビジョン受像機２に転送する一方、第１判断プログラム１４３ｂの実行により、ソフトウエアを備えていないと判断され、且つ、第２判断プログラム１４３ｃの実行により、ソフトウエアを実行するための環境を備えていると判断された場合、ＣＰＵ１４１は、コンテンツ転送プログラム１４３ｄを実行することによって、コンテンツとともにソフトウエアをテレビジョン受像機２に転送することができる。
そして、テレビジョン受像機２は、機器情報データテーブル２９３ａ１によって、当該テレビジョン受像機２に関する所定の機器情報を記憶することができ、ＣＰＵ２９１は、機器情報送信プログラム２９３ｂ１を実行することによって、機器情報データテーブル２９３ａ１に記憶された所定の機器情報を携帯電話機１に送信することができ、コンテンツ受信プログラム２９３ｂ２を実行することによって、携帯電話機１のコンテンツ転送プログラム１４３ｄの実行により転送されるコンテンツ及びソフトウエアを受信することができ、コンテンツ実行プログラム２９３ｂ３を実行することによって、通信部２７によりコンテンツ及びソフトウエアが受信された場合、受信されたソフトウエアを組み込んだ上で、受信されたコンテンツを実行させることができる。
従って、テレビジョン受像機２が、携帯電話機１が有するコンテンツを実行可能な場合にのみ、携帯電話機１からテレビジョン受像機２に当該コンテンツを転送することができる。
また、テレビジョン受像機２が、当該ソフトウエアを実行するための環境を備えているものの、当該コンテンツを実行するためのソフトウエアを備えていない場合でも、当該コンテンツとともに当該ソフトウエアを転送し、当該ソフトウエアを実行するための環境及び当該コンテンツを実行するためのソフトウエアを備えている場合には、当該コンテンツを転送することにより、携帯用コンテンツを転送するテレビジョン受像機の機器情報に応じたコンテンツの転送を行うことができることとなり、ユーザにとって使い勝手が良い。
さらに、コンテンツを実行する際の操作を、テレビジョン受像機２が備える操作部２７により行うことができることとなり、ユーザにとってより使い勝手が良い。
【００７５】
なお、本発明は、上記実施の形態に限定されることなく、本発明の趣旨を逸脱しない範囲において、種々の改良並びに設計の変更を行っても良い。
例えば、本発明における移動通信端末装置は、携帯電話機に限らず、ＰＤＡ（Personal Digital Assistant）等の携帯情報端末等であっても良い。
また、携帯電話機からテレビジョン受像機に転送されるコンテンツは、Ｊａｖａアプレットに限らず、Ｊａｖａアプリケーションや、その他プログラム情報等であっても良い。
【図面の簡単な説明】
【００７６】
【図１】本発明におけるコンテンツ転送システムの構成を示す図である。
【図２】本発明における携帯電話機の要部構成を示すブロック図である。
【図３】本発明におけるテレビジョン受像機の要部構成を示すブロック図である。
【図４】本発明におけるコンテンツ転送処理を説明する図である。
【図５】本発明における携帯電話機の表示部の一の表示例を示す図である。
【図６】本発明におけるコンテンツ転送処理を示すフローチャートである。
【図７】本発明におけるコンテンツ転送処理を示すフローチャートである。
【図８】本発明におけるコンテンツ転送処理を示すフローチャートである。
【図９】本発明におけるコンテンツ転送処理を示すフローチャートである。
【符号の説明】
【００７７】
１００    コンテンツ転送システム
１        携帯電話機（移動通信端末装置）
１１      通信部（受信手段、コンテンツ転送手段）
１２      表示部
１３      操作部
１４１    ＣＰＵ（受信手段、第１判断手段、第２判断手段、コンテンツ転送手段）
１４３ａ  受信プログラム（受信手段）
１４３ｂ  第１判断プログラム（第１判断手段、判断手段）
１４３ｃ  第２判断プログラム（第２判断手段、判断手段）
１４３ｄ  コンテンツ転送プログラム（コンテンツ転送手段）
２        テレビジョン受像機
２５      映像表示部（表示部）
２７      通信部（機器情報送信手段、コンテンツ受信手段）
２８      操作部（操作手段）
２９１    ＣＰＵ（機器情報送信手段、コンテンツ受信手段、コンテンツ実行手段）
２９３ａ１  機器情報データテーブル（機器情報記憶手段）
２９３ｂ１  機器情報送信プログラム（機器情報送信手段）
２９３ｂ２  コンテンツ受信プログラム（コンテンツ受信手段）
２９３ｂ３  コンテンツ実行プログラム（コンテンツ実行手段）
【図１】
2009098772.tif 000003
【図２】
2009098772.tif 000004
【図３】
2009098772.tif 000005
【図４】
2009098772.tif 000006
【図５】
2009098772.tif 000007
【図６】
2009098772.tif 000008
【図７】
2009098772.tif 000009
【図８】
2009098772.tif 000010
【図９】
2009098772.tif 000011